(57)【特許請求の範囲】
【請求項１】
裏面に、フック状突起を多数有するフックテープ又は粘着剤層からなるズレ止め部を備えた吸収パッドにおいて、
吸収パッドの裏面に、ズレ止めシートが設けられており、
このズレ止めシートは、吸収パッドに非固定又は剥離可能に固定された前後方向中間部と、この中間部の前側に位置し、吸収パッドに連結された前側連結部と、前記中間部の後側に位置し、吸収パッドに連結された後側連結部とを有しており、
前記中間部に前記ズレ止め部が設けられるとともに、前記ズレ止め部と前記前側連結部との間の部分を切り離すための前側ミシン目、及び前記ズレ止め部と前記後側連結部との間の部分を切り離すための後側ミシン目が設けられており、
前後方向に延在し、前記吸収パッドの裏面に開口する前端開口及び後端開口を有する筒状空間が設けられており、
この筒状空間における前端開口及び後端開口間に、筒状空間内から前記吸収パッドの裏面に貫通する前側貫通口及び後側貫通口が前後方向に間隔を空けて形成されており、
前記筒状空間内に、前端部及び後端部が前記前端開口及び後端開口からそれぞれ突出する摘みシートが抜き差し自在に挿入されており、
前記ズレ止めシートは、前記前側貫通口と後側貫通口との間に位置する外部露出部分と、前記前側貫通口及び後側貫通口をそれぞれ介して前記筒状空間内に至る前側挿入部及び後側挿入部とを有しており、
前記ズレ止めシートにおけるズレ止め部は前記外部露出部分に設けられており、
前記ズレ止めシートにおける前側連結部及び後側連結部は、それぞれ前記前側挿入部及び後側挿入部が前記摘みシートと連結されて形成されている、
ことを特徴とする吸収パッド。
【請求項２】
両側縁部が前記吸収パッドの裏面に固定され、両側縁部間の部分は前記吸収パッドの裏面に固定されていないカバーシートを有しており、このカバーシートと前記吸収パッドの裏面との間に前後方向に連通する筒状空間が形成されている、請求項１記載の吸収パッド。
【発明の詳細な説明】
【技術分野】
【０００１】
本発明は、尿等の排泄物を吸収するために使用される吸収パッドに関するものである。
【背景技術】
【０００２】
吸収パッドは、おむつ交換費用の低減や、トイレトレーニングを目的として、テープタイプやパンツタイプの使い捨ておむつの内面、あるいは下半身用肌着の内面に取り付けて使用される（例えば特許文献１または２参照）。
一般的な吸収パッドは、透液性トップシートと不透液性シートとの間に吸収体が介在されてなる基本構造を有しており、製品によっては不織布等からなる外装シートによって不透液性シートの裏面側が覆われている。
また、一般的な吸収パッドの裏面には、粘着剤層又は面ファスナー（メカニカルファスナー）のフックテープからなるズレ止め部が設けられており、このズレ止め部がおむつ又は下半身用肌着（以下、アウターという）の内面に係止されることにより装着時のズレが防止されるようになっている。
吸収パッドの交換方法は様々であるが、着用者自身又は介助者が使用済の吸収パッドを新しいものに交換する場合、アウターを膝近傍までズリ下ろし、アウターから吸収パッドを剥がすといった方法が一般的である。
また、このような交換作業は煩雑であるため、アウターを殆ど下ろすことなく、吸収パッドの腹側を摘んで引っ張り出すことによって使用済の吸収パッドを除去することも行われている。しかし、従来の吸収パッドにおいてこのような交換方法を採用した場合、吸収パッドを引っ張り出す際に、ズレ止め部とアウターとの止着面に作用する力は殆どが剪断力となるため、ズレ止め部の性質上非常に剥がれにくく、剥がすのに強い力が必要であった。また、剥がれたとしても、アウターに対して強い力がかかるためアウターが傷んでしまうという問題があった。かといって、剥がす際に必要な力を弱く抑えるためにズレ止め部の固定力を弱くするのは、ズレ止め性能が低下してしまうため好ましい解決策とはいえない。
そこで、吸収パッドの端部を摘まんで引っ張り出すのを容易にする技術も提案されている（特許文献３参照）。
【先行技術文献】
【特許文献】
【０００３】
【特許文献１】特開２００５−２８７７９１号公報
【特許文献２】特開２００３−２１０５２４号公報
【特許文献３】特開２００９−１８９７０１号公報
【発明の概要】
【発明が解決しようとする課題】
【０００４】
しかしながら、上記特許文献３記載の技術では、予めズレ止め部を折り返しておく必要があり、前後いずれか一方側（折り返しの方向によって定まる）から引き抜く場合は容易に剥がすことができるが、反対側から引き抜く場合には容易にならないという制約があった。
そこで、本発明の主たる課題は、十分なズレ止め性能を有しながらも、交換時には、前後いずれからでも容易に引き抜くことができる吸収パッドを提供することにある。
【課題を解決するための手段】
【０００５】
上記課題を解決した本発明は次記のとおりである。
＜請求項１記載の発明＞
裏面に、フック状突起を多数有するフックテープ又は粘着剤層からなるズレ止め部を備えた吸収パッドにおいて、
吸収パッドの裏面に、ズレ止めシートが設けられており、
このズレ止めシートは、吸収パッドに非固定又は剥離可能に固定された前後方向中間部と、この中間部の前側に位置し、吸収パッドに連結された前側連結部と、前記中間部の後側に位置し、吸収パッドに連結された後側連結部とを有しており、
前記中間部に前記ズレ止め部が設けられるとともに、前記ズレ止め部と前記前側連結部との間の部分を切り離すための前側ミシン目、及び前記ズレ止め部と前記後側連結部との間の部分を切り離すための後側ミシン目が設けられており、
前後方向に延在し、前記吸収パッドの裏面に開口する前端開口及び後端開口を有する筒状空間が設けられており、
この筒状空間における前端開口及び後端開口間に、筒状空間内から前記吸収パッドの裏面に貫通する前側貫通口及び後側貫通口が前後方向に間隔を空けて形成されており、
前記筒状空間内に、前端部及び後端部が前記前端開口及び後端開口からそれぞれ突出する摘みシートが抜き差し自在に挿入されており、
前記ズレ止めシートは、前記前側貫通口と後側貫通口との間に位置する外部露出部分と、前記前側貫通口及び後側貫通口をそれぞれ介して前記筒状空間内に至る前側挿入部及び後側挿入部とを有しており、
前記ズレ止めシートにおけるズレ止め部は前記外部露出部分に設けられており、
前記ズレ止めシートにおける前側連結部及び後側連結部は、それぞれ前記前側挿入部及び後側挿入部が前記摘みシートと連結されて形成されている、
ことを特徴とする吸収パッド。
【０００６】
【０００７】
【０００８】
【０００９】
【００１０】
【００１１】
【００１２】
（作用効果）
本発明の吸収パッドを装着する際には、ズレ止めシートのズレ止め部をアウター内面に止着する。このような装着状態から、交換に際して、この吸収パッドを装着者の前側から引き抜く際には、ズレ止めシートのズレ止め部をアウター内面に止着した装着状態で、アウターの腹側から摘みシートの前端部を持って引っ張り出すようにする。ズレ止めシートは、その前側挿入部及び後側挿入部が摘みシートと連結されているため、摘みシートの移動に伴い、ズレ止め部がアウター内面に固定されている状態で前側連結部及び後側連結部が前側に移動する結果、ズレ止めシートにおける後側ミシン目は切り離されずに前側ミシン目が切り離され、ズレ止め部が後側から順に捲り取られて剥がされて、裏返されていく。この際、ズレ止め部における剥離済み部分と未剥離部分との境界が筒状空間の後側貫通口に引っ掛かった状態で、剥離済み部分の増加に伴って前方に移動し、その移動力が後側貫通口への引っ掛かりにより吸収パッドに伝えられ、吸収パッドも前方に移動する。ズレ止め部が完全に裏返されて剥離された後は、摘みシートから吸収パッドに対する力の伝達は表面摩擦力のみとなるため、その力により吸収パッドを移動させるか、摩擦力が不十分であるときには摘みシートのみを前方に引き抜いた後に、吸収パッドを前方に引き抜くことができる。
【００１３】
逆に、吸収パッドを装着者の後側から引き抜くために、アウターの背側から摘みシートの後端部を持って引っ張り出すようにした場合は、摘みシートの移動に伴い、ズレ止め部がアウター内面に固定されている状態で前側連結部及び後側連結部が後側に移動する結果、ズレ止めシートにおける前側ミシン目は切り離されずに後側ミシン目が切り離され、ズレ止め部が前側から順に捲り取られて剥がされて、裏返されていく。この際、ズレ止め部における剥離済み部分と未剥離部分との境界が筒状空間の後側貫通口に引っ掛かった状態で、剥離済み部分の増加に伴って後方に移動し、その移動力が後側貫通口への引っ掛かりにより吸収パッドに伝えられ、吸収パッドも後方に移動する。ズレ止め部が完全に裏返されて剥離された後は、摘みシートから吸収パッドに対する力の伝達は表面摩擦力のみとなるため、その力により吸収パッドを移動させるか、摩擦力が不十分であるときには摘みシートのみを後方に引き抜いた後に、吸収パッドを後方に引き抜くことができる。
【００１４】
そしてこれらの引き抜きの際、ズレ止め部とアウター内面との間には剪断方向に力が作用せず、剪断方向と交差する方向に力が作用するため、より弱い力で円滑にズレ止め部をアウター内面から剥離することができる。しかも、剥がしたズレ止め部が裏返されてアウター側に露出せずに隠れるため、引き抜き過程で一度剥がしたズレ止め部が再びアウター内面２等に付着して引き抜きを阻害するといった事態も防止することができる。
したがって、交換の際に、前後いずれからでもアウターをズリ下ろすことなく容易に引き抜くことが可能となる。また、止着面に強い剪断力を作用させずに済むため、アウター内面を傷つけることがない。さらに、ズレ止め部の固定力を弱くする必要がないためズレ止め性能を低下させることもない。
【００１５】
さらに、この形態では、吸収パッドと摘みシートとが別体であり、吸収パッド本体を摘ままずに引き抜くことができるため、吸収パッドの端部が排泄物で汚れるような事態となっても、摘みシートが汚れていなければ、衛生的に吸収パッドのズレ止めを解放できる利点がある。
【００１６】
＜請求項２記載の発明＞
両側縁部が前記吸収パッドの裏面に固定され、両側縁部間の部分は前記吸収パッドの裏面に固定されていないカバーシートを有しており、このカバーシートと前記吸収パッドの裏面との間に前後方向に連通する筒状空間が形成されている、請求項１記載の吸収パッド。
【００１７】
（作用効果）
筒状空間をこのような構造で形成することにより、既存製品に対して容易に適用できるため好ましい。
【００１８】
【００１９】
【発明の効果】
【００２０】
以上の通り本発明によれば、十分なズレ止め性能を有しながらも、交換時には、前後いずれからでも容易に引き抜くことができるようになる、等の利点がもたらされる。
【図面の簡単な説明】
【００２１】
【図１】第１の形態の展開状態の表面側を示す平面図である。
【図２】第１の形態の展開状態の裏面側を示す平面図である。
【図３】図１のＡ−Ａ断面図である。
【図４】図１のＢ−Ｂ断面図である。
【図５】図１のＣ−Ｃ断面図である。
【図６】第１の形態の装着要領を示す斜視図である。
【図７】第１の形態における引き抜き時の変化を示す要部断面図である。
【図８】第２の形態の展開状態の裏面側を示す平面図である。
【図９】図８のＡ−Ａ断面図である。
【図１０】図８のＢ−Ｂ断面図である。
【図１１】図８のＣ−Ｃ断面図である。
【図１２】第２の形態における引き抜き時の変化を示す要部断面図である。
【図１３】第１の形態の変形形態の、展開状態の裏面側を示す平面図である。
【図１４】図１３のＡ−Ａ断面図である。
【図１５】図１３のＣ−Ｃ断面図である。
【図１６】第２の形態の変形形態の、展開状態の裏面側を示す平面図である。
【図１７】図１６のＡ−Ａ断面図である。
【図１８】図１６のＢ−Ｂ断面図である。
【図１９】図１６のＣ−Ｃ断面図である。
【発明を実施するための形態】
【００２２】
以下、本発明の一実施形態について添付図面を参照しつつ説明する。
（第１の形態：参考形態）
図１〜図７は、第１の形態の吸収パッド２００を示している。この吸収パッド２００は、前後方向中央に対して前側に延在する腹側（前側）部分Ｆ１及び後側に延在する背側（後側）部分Ｂ１とを有するものである。各部の寸法は適宜定めることができ、例えば、物品全長（前後方向長さ）Ｌ１は１５〜４５ｍｍ程度、全幅Ｗ１は１２〜２０ｍｍ程度とすることができる。
【００２３】
吸収パッド２００は、不透液性バックシート２１の内面と、透液性トップシート２２との間に、吸収体２３が介在された基本構造を有している。吸収体２３としては、パルプ繊維の積繊体、セルロースアセテート等のフィラメントの集合体、あるいは不織布を基本とし、必要に応じて高吸収性ポリマーを混合、固着等してなるものを用いることができる。必要に応じて、吸収体２３はクレープ紙（図示せず）により包むことができる。また、吸収体２３の形状は、相対的に前側の部分が後側の部分よりも幅広な帯状、あるいは長方形状、台形状等、適宜の形状とすることができる。吸収体２３における繊維目付け及び吸収性ポリマーの目付けは適宜定めることができるが、繊維目付けは１００〜６００ｇ／ｍ2程度とするのが好ましく、また吸収性ポリマーの目付け０〜４００ｇ／ｍ2程度とするのが好ましい。
【００２４】
吸収体２３の裏面側には、不透液性バックシート２１が吸収体２３の周縁より所定長さ食み出すように設けられている。不透液性バックシート２１としては、ポリエチレンフィルム等の他、ムレ防止の点から遮水性を損なわずに透湿性を備えたシートも用いることができる。この遮水・透湿性シートは、例えばポリエチレンやポリプロピレン等のオレフィン樹脂中に無機充填材を溶融混練してシートを形成した後、一軸または二軸方向に延伸することにより得られる微多孔性シートを用いることができる。
【００２５】
不透液性バックシート２１の外面（裏面）は、外装シート２５により覆われている。外装シート２５としては各種の不織布を用いる。不織布を用いることによって、後述するように、フックテープ３２の非使用時には、フックテープ３２を外装シート２５に固着させることができる。なお、不織布を構成する素材繊維としては、ポリエチレンまたはポリプロピレン等のオレフィン系、ポリエステル系、アミド系等の合成繊維の他、レーヨンやキュプラ等の再生繊維、綿等の天然繊維を用いることができる。
【００２６】
吸収体２３の表面側は、透液性トップシート２２により覆われている。図示形態ではトップシート２２の側縁から吸収体２３が一部食み出しているが、吸収体３の側縁が食み出さないようにトップシート２２の幅を広げることもできる。トップシート２２としては、有孔または無孔の不織布や穴あきプラスチックシートなどが用いられる。不織布を構成する素材繊維としては、ポリエチレンまたはポリプロピレン等のオレフィン系、ポリエステル系、アミド系等の合成繊維の他、レーヨンやキュプラ等の再生繊維、綿等の天然繊維を用いることができる。
【００２７】
吸収パッド２００の前後方向両端部では、外装シート１２および透液性トップシート１が吸収体３の前後端よりも前後両側にそれぞれ延在されて貼り合わされ、吸収体２３の存在しないエンドフラップ部ＥＦが形成されている。
【００２８】
吸収パッド２００の両側部では、不透液性バックシート２１が吸収体２３の側縁よりも外側にそれぞれ延在され、この延在部からトップシート２２の側部までの部分の内面にはギャザーシート２４の幅方向外側の部分２４ｘが前後方向全体にわたり貼り付けられ、吸収体２３の存在しないサイドフラップ部ＳＦを構成している。これらを含め、素材の貼り合わせ部分は、ホットメルト接着剤、ヒートシール、超音波シールにより形成でき、図面では斜線模様で示されている。
【００２９】
これらエンドフラップ部ＥＦ及びサイドフラップ部ＳＦ以外の吸収体介在部分が、排泄物を保持する本体部ＢＤを構成する。
【００３０】
ギャザーシート２４の素材としては、プラスチックシートやメルトブローン不織布を使用することもできるが、肌への感触性の点で、不織布にシリコンなどにより撥水処理をしたものが好適に使用される。
【００３１】
ギャザーシート２４の幅方向中央側の部分２４ｃはトップシート２２上にまで延在しており、その幅方向中央側の端部には、細長状弾性部材２４Ｇが前後方向に沿って伸張状態でホットメルト接着剤等により固定されている。この細長状弾性部材２４Ｇとしては、糸状、紐状、帯状等に形成された、スチレン系ゴム、オレフィン系ゴム、ウレタン系ゴム、エステル系ゴム、ポリウレタン、ポリエチレン、ポリスチレン、スチレンブタジエン、シリコン、ポリエステル等、通常使用される素材を用いることができる。
【００３２】
両ギャザーシート２４，２４は、幅方向外側の部分２４ｘが前後方向全体にわたり物品内面（図示形態ではトップシート２２表面および外装シート３２内面）に貼り合わされて固定されるとともに、幅方向中央側の部分２４ｃが、前後方向の両端部では物品内面（図示形態ではトップシート２２表面）に貼り合わされて固定され、かつ前後方向の両端部の間では物品内面（図示形態ではトップシート２２表面）に固定されていない。この非固定部分は、図４に示されるように、物品内面（図示形態ではトップシート２２表面）に対して起立可能な立体ギャザーとなる部分であり、その起立基端２４ｂはギャザーシート２４における幅方向外側の固定部分２４ｘと内側の部分２４ｃとの境に位置する。
【００３３】
そして、図２、図３および図５に示すように、吸収パッド２００の裏面には、粘着剤層からなるズレ止め部３０が設けられている。このズレ止め部３０としては、フック状突起を多数有するフックテープを用いることも可能である。フック状突起の形状としてはキノコ状の他、フック状、レ字状、Ｊ字状、Ｔ字状、ダブルＪ字状（Ｊ字状のものを背合わせに結合した形状のもの）等が存在するが、いずれの形状であっても良い。なお、フックテープはホットメルト接着剤等により取り付けることができる。ズレ止め部３０は、図示例のように、剥離シート３１により剥離可能に被覆しておき、使用時に剥離シート３１を剥離してズレ止め部３０を露出させるのが望ましい。
【００３４】
図示例では、ズレ止め部３０を腹側部分Ｆ１及び背側部分Ｂ１のそれぞれに設けているが、いずれか一方のみ、あるいは両者にわたり連続するように設けても良く、その数も、複数とするほか、単数とすることもできる。ズレ止め部３０を複数設ける場合、腹側部分Ｆ１及び背側部分Ｂ１に各少なくとも一つは設けるのが好ましい。
【００３５】
ズレ止め部３０は、その全体が本体部ＢＤの範囲内に収まるような寸法及び配置となっているのが好ましい。具体的には、ズレ止め部３０の幅Ｗ３は吸収体２３の幅Ｗ２の７０〜８０％程度、前後方向長さＬ３（前後方向に複数設ける場合は総長さ）は吸収体２３の全長Ｌ２の３０〜４０％程度であるのが好ましい。
【００３６】
特徴的には、外装シート２５におけるズレ止め部３０の幅方向両側近傍には前後方向に沿う切断部（スリット）３２，３２が形成されるとともに、外装シート２５におけるズレ止め部３０の前後両側近傍には幅方向に沿って両側の切断部に達する前側ミシン目３３及び後側ミシン目３４がそれぞれ形成されている。外装シート２５のうちこれら前側及び後側ミシン目３３，３４、並びに両側のスリット３２，３２に囲まれる部分が、ズレ止めシートの前後方向中間部を構成する部分であり、その吸収体２３側の面は隣接シート（図示例では不透液性シート２１）に対して固定されていない（剥離可能に固定されていても良い）部分である。また、前側ミシン目３３の前側部分が隣接シートに連結された前側連結部３５をなし、後側ミシン目３４の後側部分が隣接シートに連結された後側連結部３６をなす。
【００３７】
このように外装シート２５の一部を利用してズレ止めシートを形成せずに、後述の第２、第３の形態と同様に、別途専用のズレ止めシート６０を吸収パッド２００の裏面に張り付けても良い。
【００３８】
このように構成された吸収パッド２００を装着する際には、図７に示すように、剥離シート３１を剥がし、外装シート２５のズレ止め部３０を露出させた状態で、アウター１００の股間部内面にあてがい、ズレ止め部３０をアウター１００に止着する。吸収パッド２００を交換する際等、吸収パッド２００を装着者の前側から取り外すときには、図８に（ａ）〜（ｄ）の順で示すように、アウター１００の腹側から吸収パッド２００の前端部を持って引っ張り出すようにすると、ズレ止め部３０がアウター１００内面に固定されている状態で前側連結部及び後側連結部が前側に移動する結果、外装シート２５における後側ミシン目３４は切り離されずに前側ミシン目３３が切り離された後、ズレ止め部３０が後側から順に裏返される（捲り取られる）ようにして剥がされ、吸収パッド２００が引き抜かれる。図示しないが、逆に、アウター１００の背側から吸収パッド２００の後端部を持って引っ張り出すようにした場合でも、ズレ止め部３０がアウター１００内面に固定されている状態で前側連結部及び後側連結部が後側に移動する結果、外装シート２５における前側ミシン目３３は切り離されずに後側ミシン目３４が切り離された後、ズレ止め部３０が前側から順に裏返されて剥がされ、吸収パッド２００が引き抜かれる。
【００３９】
この際、ズレ止め部３０とアウター１００内面との間には剪断方向に力が作用せず、剪断方向と交差する方向に力が作用するため、より弱い力で円滑にズレ止め部３０をアウター１００内面から剥離することができる。しかも、剥がしたズレ止め部３０が裏返されてアウター１００側に露出せずに隠れるため、引き抜き過程で一度剥がしたズレ止め部３０が再びアウター１００内面等に付着して引き抜きを阻害するといった事態も防止することができる。したがって、交換の際に、前後いずれからでもアウター１００をズリ下ろすことなく容易に引き抜くことが可能となる。また、止着面に強い剪断力を作用させずに済むため、アウター１００内面を傷つけることがない。さらに、ズレ止め部３０の固定力を弱くする必要がないためズレ止め性能を低下させることもない。
【００４０】
（第２の形態：本発明の実施形態）
図８〜図１１は、第２の形態の吸収パッド２０１を示している。この吸収パッド２０１の裏面には、両側縁部４１，４１が固定されるとともに両側縁部間の部分が非固定とされたカバーシート４０が設けられており、このカバーシート４０と吸収パッド２０１の裏面（図示例では外装シート２５）との間に前後方向に連通する筒状空間４３が形成されているものである。この筒状空間４３は、カバーシート４０の前端及び後端に、前端開口４４及び後端開口４５をそれぞれ有している。カバーシート４０を設けずに、例えば外装シート２５と不透液性シート２１とを部分的に非接合として同様の筒状空間を形成し、筒状空間内に連通する前端開口及び後端開口を外装シート２５に形成することもできる。
【００４１】
この筒状空間４３内には、その前端開口４４及び後端開口４５から前端部５１及び後端部５２がそれぞれ突出する摘みシート５０が抜き差し自在に挿入されている。
【００４２】
また、筒状空間４３における前端開口４４及び後端開口４５間には、カバーシート４０を貫通して筒状空間４３の内外に連通する前側貫通口４６及び後側貫通口４７が前後方向に間隔を空けて形成されるとともに、これら前側貫通口４６と後側貫通口４７との間に位置する外部露出部分６３と、前側貫通口４６及び後側貫通口４７をそれぞれ介して筒状空間４３内に至る前側挿入部６１及び後側挿入部６２とを有するがズレ止めシート６０が設けられている。
【００４３】
そして、第１の形態と同様のズレ止め部３０がズレ止めシート６０の外部露出部分６３に設けられるとともに、ズレ止めシート６０における前側挿入部６１及び後側挿入部６２が摘みシート５０と連結されている。図示例では、ズレ止めシート６０の前側挿入部６１と後側挿入部６２とが連結されて無端環状をなしており、ズレ止めシート６０のうち筒状空間４３内の部分全体が摘みシート５０の裏面に連結され、この連結部分のうち前側部分により前側連結部３５が形成され、後側部分により後側連結部３６が形成されているが、前側挿入部６１及び後側挿入部６２を連結せずに、前後方向に離間させてそれぞれ摘みシート５０に連結することもでき、その場合、前側連結部３５及び後側連結部３６は前後方向に離間することになる。
【００４４】
ズレ止め部３０及びズレ止めシート６０の幅Ｗ３は、第１の形態と同様とすることができる。ズレ止め部３０の前後方向長さＬ３は吸収パッド２０１の全長Ｌ１の１／２〜１／５程度とするのが好ましい。また、図示例のようにズレ止めシート６０を環状に形成する場合、ズレ止めシート６０の周長はズレ止め部３０の前後方向長さＬ３の２〜３倍程度とするのが好ましい。
【００４５】
摘みシート５０の全長Ｌ４は、吸収パッド２０１の全長Ｌ１の１／１〜１／２程度とするのが好ましい。摘みシート５０の幅Ｗ４は、筒状空間４３の幅Ｗ５以下で、ズレ止めシート６０の幅Ｗ３の１〜１．５倍程度とするのが好ましい。
【００４６】
筒状空間４３の幅Ｗ５、すなわちカバーシート４０の非固定部分の幅は、ズレ止め部３０の幅Ｗ３以上、吸収体２３の幅Ｗ２未満とするのが好ましい。筒状空間４３の前後方向長さＬ５、すなわち前端開口４４と後端開口４５との離間距離は、摘みシート５０の全長Ｌ４未満、特に吸収パッド２０１の全長Ｌ１の１／１〜１／２程度とするのが好ましい。前側貫通口４６及び後側貫通口４７の幅Ｗ６はズレ止めシート６０の幅Ｗ３以下とするのが好ましく、前側貫通口４６及び後側貫通口４７の離間距離Ｌ６はズレ止め部３０の前後方向長さＬ３以上、特にズレ止め部３０の前後方向長さＬ３の１〜１．５倍程度が好ましい。
【００４７】
このように構成された吸収パッド２０１を装着者の前側から引き抜く際には、図１２に（ａ）〜（ｄ）の順で示すように、ズレ止めシート６０のズレ止め部３０をアウター１００内面に止着した装着状態で、アウター１００の腹側から摘みシート５０の前端部５１を持って引っ張り出すようにする。ズレ止めシート６０は、その前側挿入部６１及び後側挿入部６２が摘みシート５０と連結されているため、摘みシート５０の移動に伴い、ズレ止め部３０がアウター１００内面に固定されている状態で前側連結部３５及び後側連結部３６が前側に移動する結果、ズレ止めシート６０における後側ミシン目３４は切り離されずに前側ミシン目３３が切り離され、ズレ止め部３０が後側から順に捲り取られて剥がされて、裏返されていく。この際、ズレ止め部３０における剥離済み部分と未剥離部分との境界が筒状空間４３の後側貫通口４７に引っ掛かった状態で、剥離済み部分の増加に伴って前方に移動し、その移動力が後側貫通口４７への引っ掛かりにより吸収パッド２０１に伝えられ、吸収パッド２０１も前方に移動する。ズレ止め部３０が完全に裏返されて剥離された後は、摘みシート５０から吸収パッド２０１に対する力の伝達は表面摩擦力のみとなるため、その力により吸収パッド２０１を移動させるか、摩擦力が不十分であるときには摘みシート５０のみを前方に引き抜いた後に、吸収パッド２０１を前方に引き抜くことができる。
【００４８】
逆に、吸収パッド２０１を装着者の後側から引き抜くために、アウター１００の背側から摘みシート５０の後端部５２を持って引っ張り出すようにした場合は、摘みシート５０の移動に伴い、ズレ止め部３０がアウター１００内面に固定されている状態で前側連結部３５及び後側連結部３６が後側に移動する結果、ズレ止めシート６０における前側ミシン目３３は切り離されずに後側ミシン目３４が切り離され、ズレ止め部３０が前側から順に捲り取られて剥がされて、裏返されていく。この際、ズレ止め部３０における剥離済み部分と未剥離部分との境界が筒状空間４３の後側貫通口４７に引っ掛かった状態で、剥離済み部分の増加に伴って後方に移動し、その移動力が後側貫通口４７への引っ掛かりにより吸収パッド２０１に伝えられ、吸収パッド２０１も後方に移動する。ズレ止め部３０が完全に裏返されて剥離された後は、摘みシート５０から吸収パッド２０１に対する力の伝達は表面摩擦力のみとなるため、その力により吸収パッド２０１を移動させるか、摩擦力が不十分であるときには摘みシート５０のみを後方に引き抜いた後に、吸収パッド２０１を後方に引き抜くことができる。
【００４９】
よって、この第２の形態においても、吸収パッド２０１の引き抜きの際、ズレ止め部３０とアウター１００内面との間には剪断方向に力が作用せず、剪断方向と交差する方向に力が作用するため、より弱い力で円滑にズレ止め部３０をアウター１００内面から剥離することができる。しかも、剥がしたズレ止め部３０が裏返されてアウター１００側に露出せずに隠れるため、引き抜き過程で一度剥がしたズレ止め部３０が再びアウター１００内面２等に付着して引き抜きを阻害するといった事態も防止することができる。
【００５０】
さらに、この第２の形態では、吸収パッド２０１と摘みシート５０とが別体であり、吸収パッド２０１本体を摘ままずに引き抜くことができるため、吸収パッド２０１の端部が排泄物で汚れるような事態となっても、摘みシート５０が汚れていなければ、衛生的に吸収パッド２０１のズレ止めを解放できる利点がある。
【００５１】
（変形形態：参考形態）
上記第１の形態及び第２の形態は、吸収パッド２００，２０１にズレ止め部３０を設けたものであるが、図１３〜図１５及び図１６〜図１９に示すように、捲り返されるズレ止め部３０の基本構造を任意の吸収パッド製品に後付けできるようにした吸収パッド固定用シート３００，３０１も提案される。
【００５２】
図１３〜図１５に示す形態は、第１の形態を、表面に吸収パッド４００を固定するパッド固定部３０２を有する吸収パッド固定用シート３００に応用したものであり、吸収パッド固定用シート３００の裏面に、第１の形態と同様の構造によりズレ止め部３０、前側及び後側ミシン目３３，３４、及び両側のスリット３２，３２が設けられたものである。また、図１６〜図１９に示す形態は、第２の形態を、表面に吸収パッド４００を固定するパッド固定部３０２を有する吸収パッド固定用シート３０１に応用したものであり、吸収パッド固定用シート３０１の裏面に、第２の形態と同様のズレ止めシート６０、摘みシート５０、カバーシート４０が設けられたものである。パッド固定部３０２は、ズレ止め部３０と同様、粘着剤層又はフックテープを用いることができる。符号Ｌ７は吸収パッド固定用シート３００，３０１の全長を示し、符号Ｗ７は吸収パッド固定用シート３００，３０１の全幅を示している。
【産業上の利用可能性】
【００５３】
本発明は、吸収パッドである限り、尿吸収パッドの他、生理用ナプキンにも利用可能である。
【符号の説明】
【００５４】
２１…不透液性バックシート、２２…透液性トップシート、２３…吸収体、２４…ギャザーシート、２５…外装シート、３０…ズレ止め部、３１…剥離シート、３２…切断部、３３…前側ミシン目、３４…後側ミシン目、３５…前側連結部、３６…後側連結部、４０…カバーシート、５０…摘みシート、６０…ズレ止めシート、１００…アウター、２００，２０１，４００…吸収パッド、３００，３０１…吸収パッド固定用シート。
【図１】
0005564293.tif 000002
【図２】
0005564293.tif 000003
【図３】
0005564293.tif 000004
【図４】
0005564293.tif 000005
【図５】
0005564293.tif 000006
【図６】
0005564293.tif 000007
【図７】
0005564293.tif 000008
【図８】
0005564293.tif 000009
【図９】
0005564293.tif 000010
【図１０】
0005564293.tif 000011
【図１１】
0005564293.tif 000012
【図１２】
0005564293.tif 000013
【図１３】
0005564293.tif 000014
【図１４】
0005564293.tif 000015
【図１５】
0005564293.tif 000016
【図１６】
0005564293.tif 000017
【図１７】
0005564293.tif 000018
【図１８】
0005564293.tif 000019
【図１９】
0005564293.tif 000020